(57)【要約】【課題】  本発明は、振動に起因して発生するノイズを抑制する電子カメラを提供する。【解決手段】  電子カメラは、撮像素子と、撮像制御部と、圧電素子と、算出部と、補正処理部とを備える。撮像素子は、被写体像を撮像し、画像信号を生成する。撮像制御部は、画像信号の読み出しを制御する。圧電素子は、画像信号の読み出し時に生じる振動を感知し、その振動の大きさを示す出力信号に変換する。算出部は、振動に起因して発生する画像信号のノイズを出力信号に基づいて算出する。補正処理部は、振動が生じた場合には、算出部の算出結果に基づいて、振動中に読み出した画像信号のノイズを抑制する。【選択図】    図１
2011114543.tif 000002
【特許請求の範囲】
【請求項１】
被写体像を撮像し、画像信号を生成する撮像素子と、
前記画像信号の読み出しを制御する撮像制御部と、
前記画像信号の読み出し時に生じる振動を感知し、該振動の大きさを示す出力信号に変換する圧電素子と、
前記振動に起因して発生する前記画像信号のノイズを前記出力信号に基づいて算出する算出部と、
前記振動が生じた場合には、前記算出部の算出結果に基づいて、振動中に読み出した前記画像信号のノイズを抑制する補正処理部と、
を備えることを特徴とする電子カメラ。
【請求項２】
請求項１に記載の電子カメラにおいて、
前記補正処理部は、前記ノイズの値が予め設定した閾値以上である場合、振動中に読み出した前記画像信号のノイズを抑制することを特徴とする電子カメラ。
【請求項３】
請求項１又は請求項２に記載の電子カメラにおいて、
前記画像信号の読み出しと同期して前記振動の有無を前記出力信号によりモニタするモニタ部をさらに備えることを特徴とする電子カメラ。
【請求項４】
請求項３に記載の電子カメラにおいて、
撮影レンズと前記撮像素子との間に配置され、前記圧電素子により振動する光学部材と、
前記圧電素子を駆動させて、前記光学部材を振動させて該光学部材の表面に付着した塵を除去する振動制御部と、
前記圧電素子の接続先を前記モニタ部と前記振動制御部との間で切り換える切換部とをさらに備えることを特徴とする電子カメラ。
【発明の詳細な説明】
【技術分野】
【０００１】
本発明は、振動に起因して発生するノイズを抑制する機能を備える電子カメラに関する。
【背景技術】
【０００２】
従来、電子カメラ等に用いられるフォーカルプレーンシャッタでは、シャッタ羽根停止時のいわゆるバウンドを防止するための緩衝部材が備えられている（例えば、特許文献１参照）。
【先行技術文献】
【特許文献】
【０００３】
【特許文献１】特開２００９−３３８２号公報
【発明の概要】
【発明が解決しようとする課題】
【０００４】
ところで、電子カメラの撮影において、撮像素子での露光終了後、画像信号を読み出している時に例えばシャッタ羽根が初期状態に戻る動作が行われたとする。この場合、そのシャッタ羽根が緩衝部材に衝突して停止する時に振動が発生する。この振動は、撮像素子内部で圧電効果としてノイズを発生させることがある。その結果、振動に起因して発生するノイズが画像に重畳されてしまうという問題が生じてしまう。
【０００５】
そこで、本発明は、上記事情に鑑み、振動に起因して発生するノイズを抑制する電子カメラを提供することを目的とする。
【課題を解決するための手段】
【０００６】
第１の発明に係る電子カメラは、撮像素子と、撮像制御部と、圧電素子と、算出部と、補正処理部とを備える。撮像素子は、被写体像を撮像し、画像信号を生成する。撮像制御部は、画像信号の読み出しを制御する。圧電素子は、画像信号の読み出し時に生じる振動を感知し、その振動の大きさを示す出力信号に変換する。算出部は、振動に起因して発生する画像信号のノイズを出力信号に基づいて算出する。補正処理部は、振動が生じた場合には、算出部の算出結果に基づいて、振動中に読み出した画像信号のノイズを抑制する。
【０００７】
第２の発明は、第１の発明において、ノイズの値が予め設定した閾値以上である場合、振動中に読み出した画像信号のノイズを抑制する。
【０００８】
第３の発明は、第１又は第２の発明において、画像信号の読み出しと同期して前記振動の有無を前記出力信号によりモニタするモニタ部をさらに備える。
【０００９】
第４の発明は、第３の発明において、光学部材と、振動制御部と、切換部とをさらに備える。光学部材は、撮影レンズと撮像素子との間に配置され、圧電素子により振動する。振動制御部は、圧電素子を駆動させて、光学部材を振動させて光学部材の表面に付着した塵を除去する。
【発明の効果】
【００１０】
本発明によれば、振動に起因して発生するノイズを抑制する電子カメラを提供することができる。
【図面の簡単な説明】
【００１１】
【図１】電子カメラ１の内部構成を説明するブロック図
【図２】電子カメラ１の動作の一例を示すフローチャート
【図３】ステップＳ１０４、ステップＳ１０５の処理のタイミングチャートを模式的に示す図
【図４】算出部２４ａが算出したノイズの値をグラフで示す図
【図５】補正前後の静止画像の一例を示す図
【図６】変形例における電子カメラ１の内部構成を説明するブロック図
【発明を実施するための形態】
【００１２】
以下、図面に基づいて本発明の実施の形態を詳細に説明する。
【００１３】
図１は、電子カメラ１の内部構成を説明するブロック図である。図１に示す通り電子カメラ１は、撮影レンズ１０と、機械式シャッタ１１と、撮像素子１２と、タイミングジェネレータ（ＴＧ）１３と、アナログフロントエンド部(以下、「ＡＦＥ」という)１４と、圧電素子１５と、振動検出回路１６と、画像処理部１７、ＲＡＭ（Ｒａｎｄｏｍ  Ａｃｃｅｓｓ  Ｍｅｍｏｒｙ）１８と、ＲＯＭ（Ｒｅａｄ  Ｏｎｌｙ  Ｍｅｍｏｒｙ）１９と、表示部２０と、記録インターフェース部（以下、「記録Ｉ／Ｆ部」という。）２１と、操作部２２と、レリーズ釦２３と、ＣＰＵ（Ｃｅｎｔｒａｌ  Ｐｒｏｃｅｓｓｉｎｇ  Ｕｎｉｔ）２４と、バス２５とを備える。
【００１４】
このうち、ＡＦＥ１４、振動検出回路１６、画像処理部１７、ＲＡＭ１８、ＲＯＭ１９、表示部２０、記録Ｉ／Ｆ部２１及びＣＰＵ２４は、バス２５を介して互いに接続されている。
【００１５】
撮影レンズ１０は、フォーカスレンズやズームレンズを含む複数のレンズ群で構成されている。なお、簡単のため、図１では、撮影レンズ１０を１枚のレンズとして図示する。この撮影レンズ１０は、不図示のレンズ駆動装置によって制御される。
【００１６】
機械式シャッタ１１は、例えば、フォーカルプレーンシャッタであって、撮像素子１２の撮像面を覆うためのシャッタ幕（先幕と後幕）を構成する。ＣＰＵ２４は、この２枚のシャッタ幕の走行を制御する。
【００１７】
また、ＣＰＵ２４は、シャッタ幕を初期状態に戻すシャッタチャージという動作を行わせる。この際、シャッタ幕がバウンド防止用の緩衝部材に衝突して停止する時に振動が発生する。
【００１８】
撮像素子１２は、撮影レンズ１０による被写体像を撮像し、信号電荷に応じた画像信号を生成する。なお、撮像素子１２は、ＣＣＤ（Ｃｈａｒｇｅ  Ｃｏｕｐｌｅｄ  Ｄｅｖｉｃｅ）型又はＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型のイメージセンサであって良い。本実施形態では、撮像素子１２としてＣＭＯＳ型のイメージセンサを採用する。また、この撮像素子１２の受光面は、画像を撮像する撮像領域とオプティカルブラック領域（以下、「ＯＢ領域」という）とで構成される。このＯＢ領域は、受光素子がアルミなどの遮光部材で覆われると共に暗電流成分の信号を出力する。
【００１９】
タイミングジェネレータ（ＴＧ）１３は、画像信号の読み出しを制御する。具体的には、ＣＰＵ２４からの指示に従い撮像素子１２、ＡＦＥ１４及び振動検出回路１６の各々へ向けて駆動信号を送信し、駆動タイミングを制御する。
【００２０】
ＡＦＥ１４は、撮像素子１２が生成する画像信号に対して信号処理を施すアナログフロントエンド回路である。このＡＦＥ１４は、撮像感度（いわゆるＩＳＯ感度に相当する）の調整（ゲイン調整）やＡ／Ｄ変換等を行う。このＡＦＥ１４が出力する画像信号は、画像データとしてＲＡＭ１８に一時的に記録される。ＲＯＭ１９は、電子カメラ１の制御を行うプログラム等を予め記憶している不揮発性のメモリである。
【００２１】
圧電素子１５は、圧電効果を利用した素子であって、電子カメラ１内の装置の機械的な振動を感知し、その振動の大きさを示す出力信号（電圧等）に変換する素子である。また、圧電素子１５は、電圧の印加を受けることにより振動する素子でもある。なお、本実施形態において、圧電素子１５は、画像信号の読み出し時に、電子カメラ１内の装置で生じる機械的な振動を検知する用途に使用される。
【００２２】
振動検出回路１６は、画像信号の読み出しと同期して振動の有無を出力信号によりモニタする。さらに振動検出回路１６は、出力信号をＡ／Ｄ変換して振動の大きさを示すデジタル値として出力する。ＣＰＵ２４は、このデジタル値をＲＡＭ１８に記録する。
【００２３】
画像処理部１７は、ＲＡＭ１８に記録されている画像データを読み出し、各種の画像処理（階調変換処理、輪郭強調処理、ホワイトバランス処理等）を施す。
【００２４】
表示部２０は、静止画像、スルー画像及び電子カメラ１の操作メニュー等を表示する。表示部２０には、液晶ディスプレイ等を適宜選択して用いることができる。
【００２５】
記録Ｉ／Ｆ部２１には、着脱自在の記録媒体３０を接続するためのコネクタ（不図示）が形成されている。そして、記録Ｉ／Ｆ部２１は、ＣＰＵ２４からの指示により、そのコネクタに接続された記録媒体３０にアクセスして静止画像や動画の記録処理等を行う。この記録媒体３０は、例えば、不揮発性のメモリカードである。図１では、コネクタに接続された後の記録媒体３０を示している。
【００２６】
操作部２２は、例えば、コマンド選択用のコマンドダイヤル、電源ボタン等を有している。そして、操作部２２は、電子カメラ１を操作するための指示入力を受け付ける。
【００２７】
また、操作部２２は、コマンドダイヤルを介して、例えば、高感度撮影用の撮影モードの指示入力を受け付けると、ＣＰＵ２４は、振動に起因して発生するノイズを抑制する補正処理のプログラムを起動させる。
【００２８】
レリーズ釦２３は、半押し操作（撮影前におけるオートフォーカス（ＡＦ）や自動露出（ＡＥ）等の撮影準備動作）の指示入力と全押し操作（撮影動作開始）の指示入力とを受け付ける。
【００２９】
ＣＰＵ２４は、電子カメラ１の統括的な制御を行うプロセッサである。ＣＰＵ２４は、ＲＯＭ１９に予め格納されたシーケンスプログラムを実行することにより電子カメラ１の各部を制御する。また、ＣＰＵ２４は、算出部２４ａと、補正処理部２４ｂとしても機能する。
【００３０】
算出部２４ａは、振動に起因して発生する画像信号のノイズを出力信号に基づいて算出する。具体的には、算出部２４ａは、出力信号の信号レベルに比例係数をかけることによりノイズを算出する。これは、圧電素子が出力する出力信号の信号レベルと、撮像素子１２の内部で圧電効果により発生するノイズの信号レベルとが比例関係にあるためである。
【００３１】
また、製品出荷前の段階で予め振動のレベルに応じて、圧電素子１５が出力する出力信号と、撮像素子１２の内部で圧電効果により発生するノイズの信号レベルとを計測し、計測結果をテーブルとしてＲＯＭ１９に書き込んでおいても良い。この場合、算出部２４ａは、テーブルを参照してノイズを算出する。なお、本実施形態では、計測結果に基づいて比例係数を予め求めておき、ＲＯＭ１９に書き込んでおく。
【００３２】
補正処理部２４ｂは、振動が生じた場合には、振動中に読み出した画像信号とその画像信号に対応するノイズとの差分を求める（詳細は、後述する。）。
【００３３】
次に、本実施形態における電子カメラ１の動作を説明する。図２は、電子カメラ１の動作の一例を示すフローチャートである。ここでは、電子カメラ１の電源がオンされた後、操作部２２が高感度撮影用の撮影モードの指示入力を受け付けると、ＣＰＵ２４は、図２に示すフローチャートを開始させる。なお、説明の便宜上、撮像感度として、通常のＩＳＯ感度（例えば４００以下）の設定に比べて、ＩＳＯ感度（例えば、８００以上）が高い設定での撮影を行うこととする。近年、撮像感度が高感度化されるに伴い、画像信号を増幅すると、振動に起因して発生するノイズも増幅され、画像にノイズが重畳されてしまうという問題が生じるようになってきている。本実施形態では、このノイズを抑制する手段を提供する。
【００３４】
ステップＳ１０１：ＣＰＵ２４は、レリーズ釦２３を介して、全押し操作の指示入力（レリーズ操作）を受け付ける。
【００３５】
ステップＳ１０２：ＣＰＵ２４は、撮像素子１２と振動検出回路１６とに対して動作の開始を指示する。これにより、撮像素子１２と振動検出回路１６とは、動作を開始する。
【００３６】
ステップＳ１０３：ＣＰＵ２４は、機械式シャッタ１１の先幕と後幕とのシャッタ幕を順次走行させる。その間、ＣＰＵ２４は、タイミングジェネレータ（ＴＧ）１３を介して撮像素子１２へ向けて駆動信号を送信して露光を行わせる。ＣＰＵ２４は、一例として、画面単位で電荷の蓄積時間を合わせるグローバルシャッタ方式で撮像素子１２に露光を行わせる。
【００３７】
ステップＳ１０４：ＣＰＵ２４は、露光が完了すると画像信号の読み出しを指示する。この場合、タイミングジェネレータ（ＴＧ）１３は、撮像素子１２に対してライン単位で画像信号の読み出しのタイミングを指示する垂直クロック信号（駆動信号）を入力する毎に、振動検出回路１６にも垂直クロック信号を同期させて入力することとする。さらに、タイミングジェネレータ（ＴＧ）１３は、ＡＦＥ１４にも垂直クロック信号を同期させて入力することとする。
【００３８】
なお、ＣＰＵ２４は、説明の便宜上、撮像素子１２に対して１ライン毎に画像信号を読み出すこととする。そのため、タイミングジェネレータ（ＴＧ）１３は、１ラインの読み出し毎に垂直クロック信号を送信することとする。なお、タイミングジェネレータ（ＴＧ）１３は、垂直クロック信号に限定されず、水平クロック信号を送信しても良い。この場合、タイミングジェネレータ（ＴＧ）１３は、例えば、画素単位で水平クロック信号を送信する。
【００３９】
ここで、振動検出回路１６は、ＣＰＵ２４の制御により、垂直クロック信号の入力の有無をモニタする。振動検出回路１６は、垂直クロック信号の入力を受け付けた場合（ステップＳ１０４：Ｙｅｓ）、ステップＳ１０５の処理に移行する。一方、振動検出回路１６は、垂直クロック信号の入力を受け付けない場合（ステップＳ１０４：Ｎｏ）、ステップＳ１０４の処理を繰り返す。
【００４０】
ステップＳ１０５：振動検出回路１６は、ＣＰＵ２４の制御により、撮像素子１２のｎライン（ｎ＝１からＮまでの自然数）目における画像信号の読み出しに同期して、圧電素子１２が出力する出力信号の有無をモニタする。これにより、ＣＰＵ２４は、後述の図３に示す通り、どのラインでノイズが発生したかを容易に判定できる。
【００４１】
振動検出回路１６は、圧電素子１２からの出力信号を検出しなかった場合（ステップＳ１０５：Ｎｏ）、ステップＳ１０７に移行する。振動検出回路１６は、圧電素子１２からの出力信号を検出した場合（ステップＳ１０５：Ｙｅｓ）、ステップＳ１０６に移行する。
【００４２】
図３は、ステップＳ１０４、ステップＳ１０５の処理のタイミングチャートを模式的に示す図である。図３（ａ）は、撮像素子１２からの画像信号の読み出しのタイミングを表しており、図３（ｂ）は、圧電素子１５からの出力信号の読み出しのタイミングを表している。
【００４３】
例えば、撮像素子１２のｎ（＝ａ）ライン目における画像信号の読み出し中に電子カメラ１内部で振動が発生すると、圧電素子１５は、その振動を出力信号に変換して振動検出回路１６に送信する。この振動としては、画像信号の読み出し中に、例えば、シャッタチャージにより後幕が元の位置に移動して緩衝部材に衝突する例が挙げられる。なお、説明の便宜上、後幕を例に挙げているが、先幕であっても良いし、あるいは、先幕と後幕とであっても良い。
【００４４】
ステップＳ１０６： 振動検出回路１６は、ＣＰＵ２４の制御により、出力信号をデジタル値として出力する。ＣＰＵ２４は、バス２５を介してその出力信号をＲＡＭ１８に記録すると共に、撮像素子１２のライン番号と対応付けて記録する。
【００４５】
ステップＳ１０７：ＣＰＵ２４は、撮像素子１２が出力したｎライン目の画像信号をバス２５を介してＲＡＭ１８に記録する。
【００４６】
ステップＳ１０８：ＣＰＵ２４は、撮像素子１２の最終ライン（ｎ＝Ｎ）であるか否かを判定する。最終ライン（ｎ＝Ｎ）でない場合（ステップＳ１０８：Ｎｏ）、ライン番号を１つインクリメントし（ステップＳ１１２）、ステップＳ１０５に戻る。最終ライン（ｎ＝Ｎ）である場合（ステップＳ１０８：Ｙｅｓ）、ステップＳ１０９に移行する。
【００４７】
ステップＳ１０９：ＣＰＵ２４は、撮像素子１２から画像信号を読み出し中に振動が生じていたか否かを判定する。この場合、ＣＰＵ２４は、ＲＡＭ１８を参照し、振動が生じた際に記録されたライン番号（ステップＳ１０６の処理で記録されたライン番号、一例として図３（ｂ）に示すライン番号ａ）に基づいて判定する。振動が生じた際に記録されたライン番号がない場合（ステップＳ１０９：Ｎｏ）、このフローチャートの処理は終了する。
【００４８】
一方、振動が生じた際に記録されたライン番号がある場合（ステップＳ１０９：Ｙｅｓ）、ステップＳ１１０に移行する。
【００４９】
ステップＳ１１０：ＣＰＵ２４の算出部２４ａは、ＲＡＭ１８を参照し、振動に起因して発生する画像信号のノイズの値（補正データ）を出力信号の値に基づいて算出する。算出部２４ａは、ＲＯＭ１９から比例係数を読み出し、出力信号の値（圧電素子１５の出力値）にその比例係数をかけることによりノイズの値を算出する。なお、算出部２４ａは、振動が生じた際の同一ラインのＯＢ領域における暗電流成分の信号レベル（ＯＢレベル）を読み出して、ノイズの値から暗電流成分を除く処理を行う。
【００５０】
図４は、算出部２４ａが算出したノイズの値をグラフで示す図である。ここでは、ｎ（＝ａ）ライン目の画像信号の読み出し中に振動が発生した場合を例示している。
【００５１】
ステップＳ１１１：ＣＰＵ２４の補正処理部２４ｂは、振動中に読み出した画像信号とその画像信号に対応するノイズとの差分をとる。具体的には、補正後のラインの各画素値＝（補正前のラインの各画素値）−（比例係数×圧電素子１５の出力値）の処理を行う。ただし、補正処理部２４ｂは、上記の式からさらに暗電流成分の値を減算することとする。これにより、補正処理部２４ｂは、静止画像が補正して振動に起因して発生するノイズを抑制する。そして、補正後の静止画像は、記録Ｉ／Ｆ部２３を介して記録媒体３０に記録される。
【００５２】
なお、補正処理部２４ｂは、圧電素子１５の出力値に比例係数をかけた値が予め設定した閾値以上である場合に、振動中に読み出した画像信号とその画像信号に対応するノイズとの差分を求めるようにしても良い。これは、閾値に達しなければ、人間の目から見て静止画像にノイズが重畳されていることに気付きにくいことによる。
【００５３】
図５は、補正前後の静止画像の一例を示す図である。図５（ａ）は、補正前の静止画像であり、図５（ｂ）は、補正後の静止画像である。図５（ａ）では、撮像素子１２のｎ（＝ａ）ライン目における画像信号の読み出し時に振動が発生した場合を例示している。補正前の静止画像では、例えば、シャッタ幕の振動に起因して発生するノイズが横筋として現れる（図５（ａ））。
【００５４】
しかし、補正処理部２４ｂは、シャッタ幕の振動に起因して発生するノイズを抑制する。そのため、補正後の静止画像には横筋がノイズとして現れなくなる（図５（ｂ））。
【００５５】
以上より、本実施形態の電子カメラ１では、振動に起因して発生するノイズを抑制することができる。
【００５６】
なお、本実施形態の電子カメラ１では、振動の発生源として機械式シャッタ１１を取りあげて説明したが、振動の発生源は一例であって機械式シャッタ１１に限定されない。例えば一眼レフレックスタイプの電子カメラに備えられているクイックリターンミラーが初期状態に戻る際の振動であっても良い。あるいは、円弧状の羽根を複数組み合わせた光彩絞りが初期状態に戻る際の振動であっても良い。あるいは、ズームレンズやフォーカスレンズ等の撮影光学系が初期状態に戻る際の振動であっても良い。
【００５７】
また、本実施形態の電子カメラ１では、振動の発生源に対してその振動自体の抑制を行うことなく、ノイズを抑制する手段を提供することができる。ここで、例えば、フォーカルプレーンシャッタの場合、緩衝部材で振動を抑制しようとすると、従来よりも振動を抑制する材質の緩衝部材を使用しなければならずコストがかかる。本実施形態の電子カメラ１では、従来の緩衝部材を用いても良く、コストをかけずに済む。
（変形例）
次に本実施形態の電子カメラ１の変形例について説明する。変形例では、撮像素子１２のクリーニング機構に使用している圧電素子を利用する。ここで、クリーニング機構は、後述するカットフィルタに付着した塵を圧電素子の振動により取り除く機構である。なお、上述した本実施形態の電子カメラ１と同じ要素については同じ符号を付して説明を省略し、異なる構成について主に説明する。
【００５８】
図６は、変形例における電子カメラ１の内部構成を説明するブロック図である。図１の電子カメラ１と比較して、カットフィルタ４０と、圧電素子５０及び５１と、振動制御回路５２と、切換部２４ｃとをさらに備える。ここで、図６では、図１に示す電子カメラ１の圧電素子１５が圧電素子５０及び５１に置き換わる。
【００５９】
カットフィルタ４０は、入射光線の波長成分の内、赤外線側の波長成分と紫外線側の波長成分をカットする。このカットフィルタ４０は、紫外線成分の波長をカットする光学ローパスフィルタに、赤外線成分をカットするＩＲ（ＩｎｆｒａＲｅｄ）カットフィルタが蒸着されている。カットフィルタ４０は、機械式シャッタ１１と撮像素子１２との間に配置される。
【００６０】
圧電素子５０、５１は、電圧の印加を受けると振動する機能と外部からの振動を感知してその振動を出力信号に変換する機能とを有する。これらの圧電素子５０、５１は、入射光を遮らないようにするためカットフィルタ４０の周縁部に固定されている。
【００６１】
振動制御回路５２は、圧電素子５０、５１に電圧を印加することにより振動を発生させて、カットフィルタ４０に付着した塵を取り除かせる。これにより、振動制御回路５２と圧電素子５０及び５１とは、クリーニング機構を構成する。なお、図６では、圧電素子５０と振動検出回路１６及び振動制御回路５２との電気的接続を示す線を省略している。
【００６２】
切換部２４ｃは、カットフィルタ４０に付着した塵を取り除かせる場合、振動制御回路５２と圧電素子５０、５１とを電気的に接続させる。一方、切換部２４ｃは、振動に起因して発生するノイズを抑制する場合、振動検出回路１６と圧電素子５０、５１とを電気的に接続させる。
【００６３】
つまり、切換部２４ｃは、撮像素子１２の画像信号の読み出し時にはクリーニング機構に使用している振動制御回路５２を使用しない。一方、切換部２４ｃは、撮像素子１２の画像信号の読み出し時に振動検出回路１６と圧電素子５０（あるいは圧電素子５１）とを接続し、振動センサとして利用する。これらの圧電素子５０及び５１は、撮像素子１２の近辺に配置されているため、振動検出回路１６は、振動を検出しやすくなる。
【００６４】
ここで、図６に示す電子カメラ１の動作は、振動に起因して発生するノイズを抑制する場合には、図２に示すフローチャートと同様であるので説明は省略する。
【００６５】
以上より、変形例の電子カメラ１では、振動に起因して発生するノイズを抑制するための圧電素子を新たに搭載する必要がない分、コストをかけずに済むと共に、振動に起因して発生するノイズを抑制することができる。
【符号の説明】
【００６６】
１２・・・撮像素子、１３・・・タイミングジェネレータ、１５、５０、５１・・・圧電素子、１６・・・振動検出回路、１８・・・ＲＡＭ、２４ａ・・・算出部、２４ｂ・・・補正処理部、２４ｃ・・・切換部、４０・・・カットフィルタ、５２・・・振動制御回路
【図１】
2011114543.tif 000003
【図２】
2011114543.tif 000004
【図３】
2011114543.tif 000005
【図４】
2011114543.tif 000006
【図５】
2011114543.tif 000007
【図６】
2011114543.tif 000008